(57)【要約】【課題】製造コストの増加を抑制しつつ容易に設置することができるガス焜炉を提供する。【解決手段】キッチンカウンター４の開口部４００に落とし込んで設置される焜炉本体２と、焜炉本体２を吊り下げ支持するための把手５と、焜炉本体２上に設置される天板３とを備えたドロップイン式のガス焜炉である。焜炉本体２は、左右方向に離間して配置された焜炉バーナー２１と、焜炉バーナー２１毎に設けられて対応する焜炉バーナー２１を支持するバーナー受け棧２２を備える。把手５が両バーナー受け棧２２に架け渡されて、平面視で焜炉本体２の重心位置を含む前後方向の所定の範囲内に位置するように構成される。【選択図】図１
2015137772.tif 000002
【特許請求の範囲】
【請求項１】
キッチンカウンターに設けられた開口部に落とし込んで設置される焜炉本体と、前記焜炉本体を吊り下げ支持するための把手と、前記焜炉本体上に設置される天板とを備えたドロップイン式のガス焜炉であって、前記焜炉本体は、左右方向に離間して配置された焜炉バーナーと、前記焜炉バーナー毎に設けられて対応する前記焜炉バーナーを支持するバーナー受け棧を備え、前記把手が前記両バーナー受け棧に架け渡されて、平面視で前記焜炉本体の重心位置を含む前後方向の所定の範囲内に位置するように構成されたことを特徴とするガス焜炉。
【請求項２】
前記把手が前記両バーナー受け棧に対して回動可能に設けられたことを特徴とする請求項１に記載のガス焜炉。
【請求項３】
前記把手が前記焜炉本体の重心位置よりも後側に位置するように構成されたことを特徴とする請求項１又は請求項２に記載のガス焜炉。
【発明の詳細な説明】
【技術分野】
【０００１】
本発明は焜炉本体をキッチンカウンターに設けられた開口部に落とし込んで設置するドロップイン式のガス焜炉に関するものである。
【背景技術】
【０００２】
特許文献１には焜炉本体と焜炉本体上に設置される天板を備えたガス焜炉が開示されている。このガス焜炉はいわゆるドロップイン式のガス焜炉であって、焜炉本体をキッチンカウンターに設けられた開口部に落とし込み、この後、焜炉本体上に天板を設置することでキッチンカウンターに設置される。
【先行技術文献】
【特許文献】
【０００３】
【特許文献１】特開２０１２−６３０９３号公報
【発明の概要】
【発明が解決しようとする課題】
【０００４】
ところで、前記のようなドロップイン式のガス焜炉にあっては、作業者が焜炉本体をキッチンカウンターに設置する際に焜炉本体を容易に支持することができるようにするため、焜炉本体を吊り下げ支持するための把手を設けることが好ましい。しかし、このような把手を焜炉本体に設けるには、焜炉本体に把手を取付けるための取付具が別途必要になり、製造コストが増加することが懸念される。
【０００５】
本発明は前記事情に鑑みてなされたものであって、製造コストの増加を抑制しつつ容易に設置することができるガス焜炉を提供することを目的とする。
【課題を解決するための手段】
【０００６】
本発明のガス焜炉は、キッチンカウンターに設けられた開口部に落とし込んで設置される焜炉本体と、前記焜炉本体を吊り下げ支持するための把手と、前記焜炉本体上に設置される天板とを備えたドロップイン式のガス焜炉であって、前記焜炉本体は、左右方向に離間して配置された焜炉バーナーと、前記焜炉バーナー毎に設けられて対応する前記焜炉バーナーを支持するバーナー受け棧を備え、前記把手が前記両バーナー受け棧に架け渡されて、平面視で前記焜炉本体の重心位置を含む前後方向の所定の範囲内に位置するように構成されたことを特徴とする。
【０００７】
また、前記把手が前記両バーナー受け棧に対して回動可能に設けられることが好ましい。
【０００８】
また、前記把手が前記焜炉本体の重心位置よりも後側に位置するように構成されることが好ましい。
【発明の効果】
【０００９】
本発明に係るガス焜炉は、把手を焜炉バーナーを支持するためのバーナー受け棧を利用して焜炉本体に設けることができる。このため、把手を焜炉本体に取り付けるための取付具等を別途設ける必要がない。従って、ガス焜炉の製造コストの増加を抑制することができる。
【図面の簡単な説明】
【００１０】
【図１】本発明の実施形態のガス焜炉の焜炉本体の斜視図である。
【図２】前記ガス焜炉の斜視図である。
【図３】前記焜炉本体の平面図である。
【図４】前記焜炉本体の把手を前側に倒した状態を示した斜視図である。
【図５】前記焜炉本体の設置する様子を示した説明図である。
【発明を実施するための形態】
【００１１】
以下、本発明の実施形態について、図面を参照しながら説明する。本実施形態のガス焜炉１は、焜炉本体２が図５に示されるようにキッチンカウンター４（キッチン台）に設けられた開口部４００に落とし込んで設置されるドロップイン式の焜炉である。なお、以下ではガス焜炉１の設置状態における方向を基準にして説明する。また、以下ではキッチンカウンター４に設置されたガス焜炉１から見て利用者が立つ側を前側として説明する。
【００１２】
図２には本実施形態のガス焜炉１の斜視図が示されている。ガス焜炉１は焜炉本体２と、焜炉本体２上に設置される天板３とを備えている。
【００１３】
焜炉本体２は、図１に示されるように、筐体２０、グリル２３、複数のバーナー受け棧２２、複数の焜炉バーナー２１、及び複数のガス供給管２４を備えている。
【００１４】
焜炉本体２の外殻を構成する筐体２０は、上方に開口した左右に長い略矩形箱状に形成されている。筐体２０の前端部における上端部を除く部分は、上端部よりも前方に突出した突出部分２００となっている。
【００１５】
突出部分２００の前面部２０８の左右両側には、操作部２０２が設けられている。操作部２０２には、各焜炉バーナー２１の点火と消火を切替えるもの、各焜炉バーナー２１の火力の強弱を調節するもの、グリル用バーナー（不図示）の点火と消火を切替えるもの、及びグリル用バーナーの火力を調節するものがある。
【００１６】
筐体２０の上端部（上開口部２０１の周縁部）には、外方に向かって突出したフランジ部２０３が周方向に亘って形成されている。フランジ部２０３は図５に示されるようにキッチンカウンター４の上面を構成するカウンタートップ４０上に載置される。
【００１７】
図１に示されるように、筐体２０の前端部において、筐体２０の前側に形成されたフランジ部２０３とこの下方に配置された突出部分２００との間には、前方に開口した凹溝部２０４が形成されている。凹溝部２０４は筐体２０の左右方向の全長に亘っている。図５に示されるように凹溝部２０４にはカウンタートップ４０の開口部４００の前縁部が嵌め込まれる。
【００１８】
筐体２０の後側に形成されたフランジ部２０３は、筐体２０の後面部よりも後方に突出して筐体２０の最も後側の端部に位置している。すなわち、筐体２０の後端部において、筐体２０の後側に形成されたフランジ部２０３の下方の空間に向かって突出する部分は存在しない。このため、焜炉本体２は図５に示されるように前側が後側よりも下方に位置する前傾姿勢にした状態から徐々に水平な状態にしていくことで、凹溝部２０４にカウンタートップ４０の開口部４００の前縁部を嵌め込みつつ、カウンタートップ４０に形成された開口部４００に簡単に落とし込むことができるようになっている。
【００１９】
グリル２３はグリル用バーナーに加えて、図１に示されるグリル庫２３０とグリル扉２３１を備えている。グリル庫２３０は筐体２０内に設けられている。グリル用バーナーはグリル庫２３０内に設けられている。グリル庫２３０は筐体２０の前面部２０８の左右方向の中央部から前方に向かって開口している。グリル扉２３１はグリル庫２３０に対して前後方向に引出可能に設けられており、グリル庫２３０の前開口部２３２を開閉可能に閉塞する。グリル扉２３１の後面には、図示しない受け皿が連結されている。受け皿はグリル扉２３１を前後に移動することでグリル庫２３０から出入することができる。
【００２０】
筐体２０の内側には、上開口部２０１を介して上方に開放された空間２０７が形成されている。空間２０７の左右方向の中央の底部は、グリル庫２３０の上面部で構成されている。
【００２１】
各バーナー受け棧２２及び各焜炉バーナー２１は、空間２０７に配置されている。
【００２２】
バーナー受け棧２２は筐体２０の前部の左右両側と筐体２０の後部の計３ヵ所に設けられている。以下、特に区別する場合には、筐体２０の前部に配置されたバーナー受け棧２２のうち、向かって左側に配置された一方のバーナー受け棧２２を第１受け棧２２Ａと記載し、向かって右側に配置された他方のバーナー受け棧２２を第２受け棧２２Ｂと記載する。また、筐体２０の後部に配置されたバーナー受け棧２２を第３受け棧２２Ｃと記載する。
【００２３】
各バーナー受け棧２２は、金属板を折り曲げて形成された左右に長い長尺物である。第１受け棧２２Ａ及び第２受け棧２２Ｂは、左右に並べて配置され前後方向において同じ位置に配置されている。
【００２４】
第１受け棧２２Ａ及び第２受け棧２２Ｂは、左右方向において筐体２０の中央部側と反対側の端部が筐体２０の対応する側壁部２０５に掛止等によって連結されている。第１受け棧２２Ａ及び第２受け棧２２Ｂは、筐体２０の中央部側の端部が、グリル庫２３０の上面部にビス等の固着具を用いて連結されている。
【００２５】
天板３を取り外した状態における焜炉本体２の重心は、左右方向において第１受け棧２２Ａと第２受け棧２２Ｂの間の部分と重なる位置に存在している。また、この焜炉本体２の重心は、前後方向において第１受け棧２２Ａ及び第２受け棧２２Ｂと重なる位置にある、あるいは第１受け棧２２Ａ及び第２受け棧２２Ｂよりも前側に位置している。
【００２６】
第３受け棧２２Ｃは第１受け棧２２Ａ及び第２受け棧２２Ｂの後方に離れた位置に配置されている。第３受け棧２２Ｃは、長さ方向の両端部が筐体２０の対応する側壁部２０５に掛止等によって連結されている。これにより第３受け棧２２Ｃは、筐体２０の後部の両側壁部２０５の間に架け渡されている。
【００２７】
焜炉バーナー２１は、筐体２０の前部の左右両側と、後部の左右方向における中央部の計３ヵ所に設けられている。以下、特に区別する場合には、筐体２０の前部において左右方向に離間して配置された焜炉バーナー２１のうち、向かって左側に配置された一方の焜炉バーナー２１を第１バーナー２１Ａと記載し、向かって右側に配置された他方の焜炉バーナー２１を第２バーナー２１Ｂと記載する。また、以下では筐体２０の後部に配置された焜炉バーナー２１を第３バーナー２１Ｃと記載する。
【００２８】
各焜炉バーナー２１はバーナー本体２１０とバーナー本体２１０上に載置されたバーナーキャップ２１１を備えている。
【００２９】
バーナー本体２１０は、燃料ガスと一次空気が供給される混合管部２１２と、混合管部２１２の下流側端部に設けられた本体部２１３とを備えている。本体部２１３の内部には、混合管部２１２に通じる混合室２１４が形成されている。
【００３０】
バーナーキャップ２１１は本体部２１３上に載置されている。本体部２１３の上面とバーナーキャップ２１１の下面との間には、外周側に開口した炎孔２１５が周方向に多数設けられている。これら炎孔２１５は混合室２１４を介して混合管部２１２に連通している。
【００３１】
第１バーナー２１Ａ及び第２バーナー２１Ｂは、混合管部２１２を本体部２１３から後方に向けて突出させた状態で筐体２０に設けられている。
【００３２】
第１バーナー２１Ａは、本体部２１３の後部又は混合管部２１２の前部が第１受け棧２２Ａに載置され、混合管部２１２の後部が第３受け棧２２Ｃの左側部分に載置されている。第１バーナー２１Ａは、本体部２１３の後部又は混合管部２１２の前部が第１受け棧２２Ａにビス等の固着具を用いて固定され、混合管部２１２の後部が第３受け棧２２Ｃの左側部分にビス等の固着具を用いて固定されている。なお、第１バーナー２１Ａの本体部２１３は、前後方向において焜炉本体２の重心と重なる位置、焜炉本体２の重心よりも前側の位置、あるいは焜炉本体２の重心よりも後側の位置のいずれに配置されてもよい。
【００３３】
第２バーナー２１Ｂは、本体部２１３の後部又は混合管部２１２の前部が第２受け棧２２Ｂに載置され、混合管部２１２の後部が第３受け棧２２Ｃの右側部分に載置されている。第２バーナー２１Ｂは、本体部２１３の後部又は混合管部２１２の前部が第２受け棧２２Ｂにビス等の固着具を用いて固定され、混合管部２１２の後部が第３受け棧２２Ｃの右側部分にビス等の固着具を用いて固定されている。これにより、第２バーナー２１Ｂは前後方向において第１バーナー２１Ａと同じ位置に配置されている。
【００３４】
第３バーナー２１Ｃは混合管部２１２を本体部２１３から前方に向けて突出させた状態で筐体２０に設けられている。第３バーナー２１Ｃは、本体部２１３又は混合管部２１２の後部が第３受け棧２２Ｃの左右方向の中央部に載置され、混合管部２１２の前部がグリル庫２３０上に載置されている。第３バーナー２１Ｃは、本体部２１３又は混合管部２１２の後部が第３受け棧２２Ｃにビス等の固着具を用いて固定され、混合管部２１２の前部がグリル庫２３０又はグリル庫２３０上の部材にビス等の固着具を用いて固定されている。これにより、第３バーナー２１Ｃは、第１受け棧２２Ａと第２受け棧２２Ｂの間の部分と左右方向において同じ位置に配置されている。
【００３５】
ガス供給管２４は筐体２０内において焜炉バーナー２１毎に設けられている。各ガス供給管２４にはガス栓等から焜炉本体２に供給された燃料ガスが供給される。各ガス供給管２４の下流側端部には、燃料ガスを噴出するノズル２４０が設けられている。各ガス供給管２４のノズル２４０の噴出口は、対応する焜炉バーナー２１の混合管部２１２の上流側端部に臨んでいる。各ガス供給管２４のノズル２４０の噴出口から噴出された燃料ガスは、該燃料ガスの噴出に伴って周囲から吸引された一次空気と共に対応する焜炉バーナー２１の混合管部２１２に供給される。このように焜炉バーナー２１に供給された燃料ガス及び一次空気は、混合管部２１２から混合室２１４を通過する際に混合され、この混合気体が各炎孔２１５に供給される。
【００３６】
各焜炉バーナー２１には点火プラグ２１６が設けられている。各焜炉バーナー２１の炎孔２１５から吐出された混合気体は、点火プラグ２１６によって点火スパークを生じさせることで燃焼する。
【００３７】
焜炉本体２をキッチンカウンター４に設置するには、図５に示されるようにキッチンカウンター４の開口部４００に焜炉本体２を落とし込み、凹溝部２０４にカウンタートップ４０の開口部４００の前縁部を嵌め込み、フランジ部２０３をカウンタートップ４０の開口部４００の周縁部上に載置する。このように設置された焜炉本体２の前面部２０８は、カウンタートップ４０の前端部の下方においてキッチンカウンター４の前側に露出する。
【００３８】
天板３は図２に示されるように焜炉本体２のフランジ部２０３上に設置され、筐体２０の上開口部２０１を閉塞する。これにより、筐体２０内のグリル２３、各バーナー受け棧２２、各焜炉バーナー２１の混合管部２１２、及び各ガス供給管２４は、天板３で覆われる。なお、天板３は焜炉本体２をカウンタートップ４０の開口部４００に落とし込んで設置した後に焜炉本体２上に設置される。
【００３９】
天板３において各焜炉バーナー２１の本体部２１３に対応する箇所には、上下方向に貫通する孔３０が形成されている。各焜炉バーナー２１の本体部２１３は、対応する孔３０を通して上方に突出する。これにより、各焜炉バーナー２１の本体部２１３及びバーナーキャップ２１１は天板３の上方に露出する。また、天板３上には各焜炉バーナー２１によって加熱される被加熱物を載置するための五徳６が設置される。
【００４０】
ここで、本実施形態のガス焜炉１は、図５に示されるようにキッチンカウンター４の開口部４００に落とし込む際に、焜炉本体２を吊り下げ支持するための把手５を備えている。
【００４１】
把手５は、図１に示されるように焜炉本体２の第１受け棧２２Ａ及び第２受け棧２２Ｂの両者に連結されて架け渡されている。
【００４２】
把手５は丸棒状の太い線材をハット状に折り曲げて形成したものであって金属製である。把手５は、コ字状に屈曲したコ字状部５０と、コ字状部５０の両端部から突出した連結部５１を備えている。以下、特に区別する場合には、両連結部５１のうち、左側に位置する一方の連結部５１を第１連結部５１Ａと記載し、右側に位置する他方の連結部５１を第２連結部５１Ｂと記載する。
【００４３】
コ字状部５０は、左右に長い直棒状の把持部５００と、把持部５００の両端部から把持部５００の長さ方向と直交する方向に延び出た直棒状の延出部５０１とを備えている。両延出部５０１は把持部５００から同一方向に向かって延び出ている。連結部５１は各延出部５０１の長さ方向における把持部５００と反対側の端部から、左右方向において把持部５００と反対側となる外側方に向かって突出している。
【００４４】
焜炉本体２の第１受け棧２２Ａの第２受け棧２２Ｂ側の端面部、及び第２受け棧２２Ｂの第１受け棧２２Ａ側の端面部には、左右方向に貫通する円形の孔２２０が形成されている。
【００４５】
第１連結部５１Ａは第１受け棧２２Ａの孔２２０に挿通することで第１受け棧２２Ａに連結されている。第２連結部５１Ｂは第２受け棧２２Ｂの孔２２０に挿通することで第２受け棧２２Ｂに連結されている。これにより把手５は第１受け棧２２Ａ及び第２受け棧２２Ｂに連結されている。このように第１受け棧２２Ａ及び第２受け棧２２Ｂに連結された把手５の把持部５００の下側には、第３バーナー２１Ｃに燃料ガスを供給するガス供給管２４が通されている。
【００４６】
焜炉本体２に取り付けられた把手５は、第１連結部５１Ａが第１受け棧２２Ａの孔２２０の周縁部によって左右軸回りに回動自在に支持され、第２連結部５１Ｂが第２受け棧２２Ｂの孔２２０の周縁部によって左右軸回りに回動自在に支持されている。なお、前記左右軸回りとは連結部５１の回動軸方向が左右方向と平行であることを意味している。
【００４７】
把手５は第１連結部５１Ａ及び第２連結部５１Ｂを軸として、左右軸回りに回動（揺動）することで、図１に示されるように両延出部５０１を起立させた起立姿勢にしたり、図４に示されるように両延出部５０１を倒した倒伏姿勢にすることができる。
【００４８】
図１に示されるように起立姿勢にした把手５の把持部５００は、筐体２０の空間２０７の底部より上側に大きく離れる。また、図４に示されるように倒伏姿勢にした把手５の把持部５００は、筐体２０の空間２０７の底部に近づく。なお、把手５は起立姿勢にしたときに把持部５００が焜炉本体２の上端（フランジ部２０３）よりも上方に位置するものであってもよいし、下方に位置するものであってもよい。
【００４９】
把手５の両連結部５１は、平面視で焜炉本体２の重心を含む前後方向の所定の範囲内に配置されている。これにより把持部５００は、把手５を起立姿勢にしたときに、平面視で焜炉本体２の重心を含む前後方向の所定の範囲内に配置されるようになっている。
【００５０】
ここで、前記所定の範囲とは、起立姿勢にした把手５の把持部５００が、平面視で前後方向において焜炉本体２の重心と重なる位置又はその近傍に位置する範囲である。より具体的には、前記所定の範囲とは、作業者が把手５の把持部５００を掴んで、焜炉本体２を水平、やや前傾、又はやや後傾にした状態で容易に吊り下げ支持することができ、これにより焜炉本体２の施工を容易に行うことができる範囲である。
【００５１】
本実施形態の把持部５００は、把手５を起立姿勢にしたときに平面視で焜炉本体２の重心よりもやや後側に配置される。
【００５２】
焜炉本体２をキッチンカウンター４の開口部４００に落とし込んで設置するときには、作業者は起立姿勢にした把手５の把持部５００を掴むことで、把手５を介して焜炉本体２を吊り下げ支持することができる。
【００５３】
ここで、焜炉本体２の重心位置は前後方向において把手５の両連結部５１が焜炉本体２によって支持された箇所の近傍且つ前側に位置するため、把手５を用いて焜炉本体２を吊り下げ支持したときには、図５に示されるように焜炉本体２が自重により前傾になるまで把手５に対して回動する。これにより、焜炉本体２をキッチンカウンター４の開口部４００に落とし込んで設置するときには、焜炉本体２を簡単に前傾姿勢にすることができる。
【００５４】
以上説明したように本実施形態のガス焜炉１は、左右方向に離間して配置された第１バーナー２１Ａ及び第２バーナー２１Ｂと、第１バーナー２１Ａを支持する第１受け棧２２Ａと、第２バーナー２１Ｂを支持する第２受け棧２２Ｂを備えている。そして、焜炉本体２を吊り下げ支持するための把手５が、第１受け棧２２Ａ及び第２受け棧２２Ｂに架け渡されている。このため、焜炉バーナー２１を支持するためのバーナー受け棧２２を利用して焜炉本体２に取り付けることができる。すなわち、把手５を焜炉本体２に取り付けるための取付具等を別途設ける必要がなく、これにより製造コストの増加を抑制することができる。
【００５５】
また、把手５は平面視で焜炉本体２の重心位置を含む前後方向の所定の範囲内に位置するように構成されている。すなわち、把手５は平面視で前後方向において焜炉本体２の重心と重なる位置又は焜炉本体２の重心の近傍位置に配置することができる。このため、作業者が焜炉本体２をキッチンカウンター４の開口部４００に落とし込んで設置するにあたって把手５を掴むことで、焜炉本体２を下面を下側に向けた状態にして焜炉本体２を容易に吊り下げ支持することができる。
【００５６】
また、本実施形態の把手５は第１受け棧２２Ａ及び第２受け棧２２Ｂに対して回動可能に設けられている。このため、焜炉本体２に他の部品を組み込む際やメンテナンスをする際には、把手５を倒伏姿勢まで回動して邪魔になり難い位置に配置することができる。また、把手５が焜炉本体２の上端よりも上方に突出するものであれば、把手５を倒伏姿勢にすることで把手５が焜炉本体２上に設置される天板３に接触しない位置に退避させることができる。
【００５７】
また、本実施形態の把手５は、焜炉本体２の重心位置よりも後側に位置するように構成されている。このため、作業者が焜炉本体２をキッチンカウンター４の開口部４００に落とし込んで設置するにあたって把手５を掴むことで、焜炉本体２を前傾姿勢にして焜炉本体２を容易に吊り下げ支持することができる。そして、このように焜炉本体２を前傾姿勢にして吊り下げることで、焜炉本体２をキッチンカウンター４の開口部４００に落とし込んで設置する作業を容易に行うことが可能になる。
【００５８】
なお、把手５は第１受け棧２２Ａ及び第２受け棧２２Ｂに対して回動不能に固定されるものであってもよい。また、本実施形態では、把手５の把持部５００を焜炉本体２の重心よりも後側に配置したが、把手５を用いて焜炉本体２を下面を下側に向けた状態で容易に支持することができるものであれば、把手５の把持部５００は焜炉本体２の重心と重なる位置又は焜炉本体２の重心よりも前側に配置しても構わない。また、この他、焜炉本体２は本発明の趣旨を逸脱しない範囲内で適宜設計変更可能である。
【符号の説明】
【００５９】
１  ガス焜炉
２  焜炉本体
２１  焜炉バーナー
２１Ａ  第１バーナー
２１Ｂ  第２バーナー
２２  バーナー受け棧
２２Ａ  第１受け棧
２２Ｂ  第２受け棧
３  天板
４  キッチンカウンター
４００  開口部
５  把手
【図１】
2015137772.tif 000003
【図２】
2015137772.tif 000004
【図３】
2015137772.tif 000005
【図４】
2015137772.tif 000006
【図５】
2015137772.tif 000007